(57)【特許請求の範囲】
【請求項１】
筒部と、筒部の下縁に連設されたスカート部とを備え、配管、ダクト等に筒部内面を固着させ、外壁、構造合板、床等にスカート部下面を固着させることにより、配管、ダクト等と外壁、構造合板、床等との隙間部を遮蔽する気密部材において、筒部およびスカート部を切断する１本のスリットが形成されているとともに、スカート部に少なくとも１つのヒダ状突起が設けられ、配管、ダクト等と外壁、構造合板、床等との隙間部を遮蔽する際に、必要に応じ、筒部およびスカート部の余った部分を互いに重ね合わせて貼り合わせることを特徴とする気密部材。
【請求項２】
ヒダ状突起は、断面Ｖ字状または断面Ｕ字状の突起であることを特徴とする請求項１に記載の気密部材。
【請求項３】
筒部内面の一部または全面、およびスカート部下面の一部または全面に粘着剤が塗布されているとともに、該粘着剤にセパレータが被覆されていることを特徴とする請求項１または２に記載の気密部材。
【請求項４】
スカート部上面の一部または全面に粘着剤が塗布されているとともに、該粘着剤にセパレータが被覆されていることを特徴とする請求項１〜３のいずれか１項に記載の気密部材。
【請求項５】
筒部およびスカート部が発泡体からなることを特徴とする請求項１〜４のいずれか１項に記載の気密部材。
【請求項６】
発泡体が独立気泡構造を持つ発泡倍率５〜４０倍のポリオレフィン系発泡体であることを特徴とする請求項５に記載の気密部材。
【発明の詳細な説明】
【０００１】
【発明の属する技術分野】
本発明は、高気密・高断熱住宅に適用する外壁、構造合板、床等において、そこを通過する配管、ダクト等と、上記外壁、構造合板、床等との隙間部を遮蔽する場合などに使用される気密部材に関する。
【０００２】
【従来の技術】
従来、高気密・高断熱住宅の外壁、構造合板、床等において、そこを通過する配管、ダクト等との隙間部を遮蔽するため手段として、例えば下記▲１▼〜▲３▼の手段が採られている。
【０００３】
▲１▼未発泡のオレフィン系材料からなる成型品を気密部材として用い、使用時には上記気密部材を粘着テープを用いて外壁、構造合板、床等と配管、ダクト等に固定する手段。
【０００４】
▲２▼アルミニウム箔等の金属箔の片面に粘着剤を塗布したテープ状部材を、気密テープとして隙間部の上から貼り付けて、隙間を遮蔽することで気密性を高める手段。
【０００５】
▲３▼オレフィン系発泡体からなるテープ状またはヒダを付けた帯状の成型品の片面に粘着剤を塗布したものを気密部材として用い、この気密部材を隙間部の上から貼り付けて隙間を遮蔽することで気密性を高める手段。
【０００６】
【発明が解決しようとする課題】
しかしながら、前述した▲１▼〜▲３▼の手段はいずれも欠点を有するものであった。すなわち、▲１▼の手段では、気密部材が未発泡のオレフィン系材料からなるため、気密部材の柔軟性が劣り、貫通部とそこを通る配管やダクトとのサイズの寸法差により隙間部が大きくなった場合には、この隙間を完全に遮蔽することが難しく、粘着テープの使用量が増加する傾向にあった。また、気密部材の柔軟性が劣るため、気密部材によって下地の凹凸を吸収することができず、気密性の低下につながることがあった。
【０００７】
▲２▼の手段では、▲１▼と同様にテープ状部材の柔軟性が劣るため、隙間部の形状が複雑になった場合には、テープ状部材によって下地の凹凸を吸収することができず、気密性が低下することがあった。また、隙間部が大きくなったときには、テープ状部材だけでは隙間をくまなく遮蔽することが困難であった。
【０００８】
▲３▼の手段では、配管やダクトのサイズにより遮蔽に用いる気密部材の寸法が異なるため、定尺切断された帯状気密部材の場合には端尺が発生し、不要となる端尺の発生頻度が高くなっていた。また、ヒダのないテープ状気密部材の場合には、コーナー部のような複雑な形状の隙間を完全に遮蔽するのは困難であった。
【０００９】
本発明は、前述した事情に鑑みてなされたもので、住宅の外壁、構造合板、床等とそこを通過する配管、ダクト等との隙間部を確実かつ簡単に遮蔽することができる気密部材を提供することを目的とする。
【００１０】
【課題を解決するための手段】
本発明は、前記目的を達成するため、筒部と、筒部の下縁に連設されたスカート部とを備え、配管、ダクト等に筒部内面を固着させ、外壁、構造合板、床等にスカート部下面を固着させることにより、配管、ダクト等と外壁、構造合板、床等との隙間部を遮蔽する気密部材において、筒部およびスカート部を切断する１本のスリットが形成されているとともに、スカート部に少なくとも１つのヒダ状突起が設けられ、配管、ダクト等と外壁、構造合板、床等との隙間部を遮蔽する際に、必要に応じ、筒部およびスカート部の余った部分を互いに重ね合わせて貼り合わせることを特徴とする気密部材を提供する。
【００１１】
本発明の気密部材は、配管、ダクト等に筒部内面を固着させ、外壁、構造合板、床等にスカート部下面を固着させることにより、配管、ダクト等と外壁、構造合板、床等との隙間部を遮蔽する。この場合、本発明の気密部材は、前述したスリットおよびヒダ状突起を有するので、配管、ダクト等の外径と筒部の内径との差が大きい場合には、配管、ダクト等に筒部内面を貼り合わせ、外壁、構造合板、床等にスカート部下面を貼り合わせるとともに、筒部、スカート部の余った部分は重ね合わせて貼り合わせることで、気密性を損なうことなく、隙間部の遮蔽を確実かつ簡単に行うことができる。
【００１２】
そのため、本発明の気密部材は、配管、ダクト等の外径サイズの種類が多い場合でも、上述した方法で筒部、スカート部を重ね合わせて使用することで、１つのサイズの気密部材で種々のサイズの配管、ダクト等に対応できるため、少ない種類の気密部材で多くの種類の配管、ダクト等に対応することが可能である。
【００１３】
本発明の気密部材において、筒部の形状、構造に限定はなく、筒部は配管、ダクト等に内面を貼着できるものであればよいが、通常は円筒状、角筒状等に形成される。また、スカート部の形状、構造にも限定はなく、スカート部は筒部の下縁から外方に広がり、外壁、構造合板、床等に下面を貼着できるものであればよいが、通常は円形リング状、角形リング状等に形成される。
【００１４】
本発明の気密部材において、スリットは筒部およびスカート部を切断するものであればよく、例えば筒部の軸方向およびスカート部の径方向に沿って連続するものが挙げられるが、これに限られるものではない。
【００１５】
本発明の気密部材において、ヒダ状突起とは、スカート部にヒダ（折り目）を付けることにより形成される突起を言う。このヒダ状突起は、筒部内面を配管、ダクト等に貼着する場合の筒部の寸法調整、およびスカート部下面を外壁、構造合板、床等に貼着する場合のスカート部の寸法調整を容易にする機能を果たす。したがって、ヒダ状突起は、スカート部に折り目を付けることにより形成される突起であって、上記機能を果たすものであれば、その構造に制限はないが、通常は断面Ｖ字状、断面Ｕ字状等の突起に形成される。また、スカート部に設けるヒダ状突起の数は、スカート部の大きさ等に応じて適宜設定することができる。
【００１６】
本発明の気密部材では、筒部内面の一部または全面、およびスカート部下面の一部または全面に粘着剤を塗布するとともに、この粘着剤にセパレータ（剥離シート）を被覆することが適当である。このようにすると、気密部材の隙間部への取付作業が容易になる。
【００１７】
また、本発明の気密部材では、スカート部上面の一部または全面に粘着剤を塗布するとともに、この粘着剤にセパレータを被覆することができる。このようにすると、後述するように、防湿紙等のシートと気密部材との貼合性を高めることができる。
【００１８】
本発明の気密部材の材質に必ずしも限定はないが、筒部およびスカート部を発泡体で形成することが適当である。このようにした場合、発泡体は柔軟性を有するため、配管、ダクト等に筒部を被せたり、外壁、構造合板、床等にスカート部を被せたりすることが容易になる。上記発泡体としては、柔軟性を持ち、かつ高い気密性が得られる独立気泡構造を持つ発泡倍率５〜４０倍のポリオレフィン系発泡体、中でもポリエチレン発泡体を好適に用いることができる。
【００１９】
【発明の実施の形態】
以下、本発明の実施の形態を説明するが、本発明は下記例に限定されるものではない。図１〜図６は本発明に係る気密部材の一実施形態を示すもので、図１は斜視図、図２は正面図、図３は背面図、図４は左側面図、図５は平面図、図６は底面図である。なお、右側面図は左側面図と対称に現れる。
【００２０】
本例の気密部材２において、４は円筒状の筒部、６は筒部４の下縁に連設され、筒部４下縁から水平に外方に広がる円形リング状のスカート部を示す。筒部４およびスカート部６は、独立気泡構造を持つ発泡倍率５〜４０倍のポリオレフィン系発泡体により一体に形成されている。
【００２１】
本例の気密部材２では、筒部４およびスカート部６に、筒部４の軸方向およびスカート部６の径方向に沿って１本の連続するスリット８が形成され、このスリット８によって筒部４およびスカート部６が切断されている。また、スカート部６には１つの断面略Ｖ字状のヒダ状突起１０が設けられている。
【００２２】
また、本例の気密部材２では、図７に示すように、筒部４の内面全面、およびスカート部６の下面全面に粘着剤１２が塗布されているとともに、この粘着剤１２にセパレータ１４が被覆されている。
【００２３】
図８は本発明に係る気密部材の他の実施形態を示す斜視図である。本例の気密部材２２は、図１に示した気密部材において、図９に示すように、スカート部６の上面のほぼ全面に粘着剤２４が円形リング状に塗布されているとともに、この粘着剤２４にセパレータ２６が被覆されているものである。なお、本例の気密部材のその他の構成は図１に示した気密部材と同じであるから、図８において図１に示した気密部材と同じ部分には、同一の参照符号を付してその説明を省略する。
【００２４】
【実施例】
以下に、実施例および比較例について述べる。
＜実施例１＞
発泡倍率２０倍（密度５０ｋｇ／ｍ3）の独立気泡構造を持つ発泡ポリエチレンシートの片面にブチルゴム系粘着剤を塗布するとともに、この粘着剤にポリエチレン製のセパレータを被覆した材料を用い、加熱・真空成型により図１に示した形状の筒部４およびスカート部６を一体に成型した。この成型物のスカート部６には１つのヒダ状突起１０が形成されており、また筒部４の内面全面およびスカート部６の下面全面には、図７に示すように粘着剤１２およびセパレータ１４が積層されていた。その後、筒部４およびスカート部６にスリット８を形成し、図１に示した気密部材２を作製した。
【００２５】
上記気密部材２を用いて、図１０に示すような構造の構造合板３２の室内側貫通部３４と配管３６との隙間部３８を遮蔽した。この場合、気密部材２のセパレータ１４を剥がし、まず構造合板３２にスカート部６下面を圧着させることで貼合させ、次いで配管３６に筒部４内面を圧着させることで貼合させた。これにより隙間部３８の遮蔽を行い、気密性を高めることができた。
【００２６】
また、配管３６の外径と筒部４の内径との差が大きいときには、配管３６の外周に沿うように筒部４内面を端部（スリット形成箇所近傍）から貼り合わせていくとともに、構造合板３２にスカート部６下面を貼り合わせ、さらに筒部４およびスカート部６の余った部分を互いに重ね合わせて貼合わせることで隙間部３８を気密性良く遮蔽することができた。この場合、ヒダ状突起１０を使用することで筒部４およびスカート部６の寸法調整ができ、重ね合わせが容易となった。
【００２７】
＜実施例２＞
木造外壁室内側に気密性を高めるために防湿紙を貼る場合には、図８に示したような、スカート部６上面に粘着剤２４が塗布されているとともに、この粘着剤２４にセパレータ２６（本例では離型紙）が被覆されている気密部材２２を用いることにより、防湿紙と気密部材２２との貼合性を高めることができた。この場合、気密部材２２の筒部４外面には粘着剤が塗布されていないので、防湿紙の貼合作業性が向上し、貼合時に防湿紙にシワが発生することを抑えることができた。
【００２８】
＜比較例１＞
未発泡のポリプロピレンを用い、図１１に示したような、筒部４２と、筒部４２の下縁に一体に連設されたスカート部４４とからなる気密部材４６を成型した。この気密部材４６を壁面貫通部と配管との隙間の遮蔽に使用する場合、気密部材の貼合面に粘着層がないため、固定に必要なブチルゴム系粘着層を持つ気密テープが必要となり、また粘着面積が少なくなるため接着性が低下するものであった。さらに、気密部材の柔軟性が劣るため、下地や配管部表面の凹凸と気密部材との間に小さな隙間が発生しやすく、これが原因で気密性が低下するものであった。
【００２９】
＜比較例２＞
比較例１の気密部材において、筒部４２の内面全面、およびスカート部４４の下面全面にブチルゴム系の粘着層を設けた気密部材を作製した。この気密部材を壁面貫通部と配管との隙間の遮蔽に使用する場合、貼合面に細かな凹凸があったときにこれを吸収することができず、接着性が低下し、気密性の低下が生じるものであった。また、配管外径と壁面貫通部内径との差が大きく、隙間が大きい場合には、気密部材に柔軟性がないため寸法の調整ができず、隙間部を完全に遮蔽することができなかった。
【００３０】
＜比較例３＞
発泡倍率２０倍の独立気泡構造を持つ発泡ポリエチレンシートの片面にブチルゴム系粘着剤を塗布し、連続したヒダ付きのテープ状に成型したものを気密部材として使用した。この場合、配管の外径毎に気密部材の寸法を測定し、切断しなければならなかった。また、配管の外径によっては適切なサイズが得られず、配管および壁面と気密部材との接着性が低下し、気密性が低下するものであった。
【００３１】
【発明の効果】
以上のように、本発明の気密部材によれば、住宅の外壁、構造合板、床等とそこを通過する配管、ダクト等との隙間部を確実かつ簡単に遮蔽することができる。この場合、本発明によれば、筒部、スカート部を重ね合わせて使用することで、少ない種類の気密部材で多くの種類の配管、ダクト等に対応することが可能である。
【図面の簡単な説明】
【図１】本発明に係る気密部材の一実施形態を示す斜視図である。
【図２】図１の気密部材の正面図である。
【図３】図１の気密部材の背面図である。
【図４】図１の気密部材の左側面図である。
【図５】図１の気密部材の平面図である。
【図６】図１の気密部材の底面図である。
【図７】図１の気密部材の筒部およびスカート部を示す模式的断面図である。
【図８】本発明に係る気密部材の他の実施形態を示す斜視図である。
【図９】図８の気密部材のスカート部を示す模式的断面図である。
【図１０】構造合板を用いた壁貫通部の概略図である。
【図１１】筒部とスカート部とからなる気密部材の一例を示す斜視図である。
【符号の説明】
２  気密部材
４  筒部
６  スカート部
８  スリット
１０  ヒダ状突起
１２  粘着剤
１４  セパレータ
２２  気密部材
２４  粘着剤
２６  セパレータ
３２  構造合板
３４  貫通部
３６  配管
３８  隙間部
【図１】
0004158884.tif 000002
【図２】
0004158884.tif 000003
【図３】
0004158884.tif 000004
【図４】
0004158884.tif 000005
【図５】
0004158884.tif 000006
【図６】
0004158884.tif 000007
【図７】
0004158884.tif 000008
【図８】
0004158884.tif 000009
【図９】
0004158884.tif 000010
【図１０】
0004158884.tif 000011
【図１１】
0004158884.tif 000012